(57)【要約】      （修正有）【課題】照明されるべき領域上への陰の発生を効果的に抑制しながら、十分な明るさで当該照明されるべき領域を照明することができる照明付き鏡装置を提供する。【解決手段】照明付き鏡装置１０は、上面３５ａの少なくとも一部分が発光面４０ａをなす天板３５と、被写体を写す表面を有する鏡と、発光面４０ａからの光を反射する反射面を有した反射手段と、を有する。鏡の表面は、天板の上面に対して立ち上がっている。発光面からの光は、鏡の表面への法線方向ｎｄ１において鏡から離間する側に向く輝度ピークＰ１を有する。反射手段の反射面は、鏡の表面への法線方向において鏡から離間する側に向いている。【選択図】図３
2014180517.tif 000002
【特許請求の範囲】
【請求項１】
上面の少なくとも一部分が発光面をなす天板と、
表面が前記天板の前記上面に対して立ち上がっている鏡と、
前記発光面からの光を反射する反射面を有した反射手段と、を備え、
前記発光面からの光は、前記鏡の前記表面への法線方向において前記鏡から離間する側に向く輝度ピークを有し、
前記反射手段の前記反射面は、前記鏡の前記表面への法線方向において前記鏡から離間する側に向いている、照明付き鏡装置。
【請求項２】
前記発光面からの光の前記輝度ピークが得られる向きは、前記反射手段の前記反射面が向いている向きと、前記鏡の前記表面への法線方向に直交し且つ前記天板の前記上面に平行となる方向において逆向きである、請求項１に記載の照明付き鏡装置。
【請求項３】
前記鏡の前記表面への法線方向に直交し且つ前記天板の前記上面に平行となる方向において、前記鏡の前記表面は、前記発光面と前記反射面との間に位置している、請求項１または２に記載の照明付き鏡装置。
【請求項４】
前記発光面からの光は、前記反射手段の前記反射面上の位置に向く第２の輝度ピークを有する、請求項１〜３のいずれか一項に記載の照明付き鏡装置。
【請求項５】
前記反射手段は、前記発光面からの光を拡散反射する、請求項１〜４のいずれか一項に記載の照明付き鏡装置。
【請求項６】
前記反射手段は、布材である、請求項１〜５のいずれか一項に記載の照明付き鏡装置。
【請求項７】
前記布材は、前記支持体に上部に取り付けられ、前記支持体の上部から前側に垂れ下がって前記発光面からの光を反射する反射位置と、前記支持体の上部から前記発光面からの光が入射しない後側に垂れ下がる非反射位置と、のいずれかに配置される、請求項６に記載の照明付き鏡装置。
【発明の詳細な説明】
【技術分野】
【０００１】
本発明は、上面の少なくとも一部分が発光面をなす天板と、被写体を写す表面を有した鏡と、を含む照明付き鏡装置に関する。
【背景技術】
【０００２】
例えば特許文献１に開示されているように、鏡と照明装置とを組み合わせてなる照明付き鏡装置が知られている。この装置では、照明装置は、鏡に写される被写体や、主たる被写体の背景となる領域を照明するようになっている。従来の照明付き鏡装置の多くにおいて、照明装置は、指向性の無い又は指向性の弱い拡散光を射出する。したがって、従来の装置では、照明装置からの光のうちの一部のみが、当該照明装置によって照明したい領域に照射されることになる。そして、照明装置からの熱や紫外線の放出等を考慮すると、照明装置からの照射強度を制限する必要があり、このため、照明したい領域を十分に明るく照明することができない。またそもそも、照明装置からの多くの光が有効に利用されておらず、照明光の利用効率が著しく低下する点において好ましくない。
【０００３】
以上の不具合を解消すべく、スポットライト等の点光源を照明装置として用いた照明付き鏡装置も存在する。しかしながら、点光源からの照明光は、照明したい領域の各位置に、点光源の配置位置に応じた特定の方向のみから照射される。このため、照明したい領域が立体的に形成されている場合には、照明したい領域上に、点光源の配置位置に応じた陰が生じてしまう。このような陰の発生は、点光源を用いた場合に不可避的に発生するものであり、点光源の配光特性を調整しても回避することはできない。加えて、点光源を用いた場合、照明したい領域と点光源との距離や被写体の大きさ等に依存して、照明したい領域の全体を照明することができないことすらある。
【先行技術文献】
【特許文献】
【０００４】
【特許文献１】特開２００１−４６１９９号公報
【発明の概要】
【発明が解決しようとする課題】
【０００５】
本発明は、以上の点を考慮してなされたものであり、照明されるべき領域上への陰の発生を効果的に抑制しながら、十分な明るさで当該照明されるべき領域を照明することができる照明付き鏡装置を提供することを目的とする。
【課題を解決するための手段】
【０００６】
本発明による照明付き鏡装置は、
上面の少なくとも一部分が発光面をなす天板と、
表面が前記天板の前記上面に対して立ち上がっている鏡と、
前記発光面からの光を反射する反射面を有した反射手段と、を備え、
前記発光面からの光は、前記鏡の前記表面への法線方向において前記鏡から離間する側に向く輝度ピークを有し、
前記反射手段の前記反射面は、前記鏡の前記表面への法線方向において前記鏡から離間する側に向いている。
【０００７】
本発明による照明付き鏡装置において、前記発光面は、前記鏡に対して、当該鏡の前記表面が向いている側に配置されていてもよい。
【０００８】
本発明による照明付き鏡装置において、前記天板に、前記発光面を形成する面光源装置が取り付けられていてもよい。
【０００９】
本発明による照明付き鏡装置において、前記発光面からの光の前記輝度ピークが得られる向きは、前記反射手段の前記反射面が向いている向きと、前記鏡の前記表面への法線方向に直交し且つ前記天板の前記上面に平行となる方向において逆向きであるようにしてもよい。
【００１０】
本発明による照明付き鏡装置において、前記鏡の前記表面への法線方向に直交し且つ前記天板の前記上面に平行となる方向において、前記鏡の前記表面は、前記発光面と前記反射面との間に位置していてもよい。
【００１１】
本発明による照明付き鏡装置において、前記発光面からの光は、前記反射手段の前記反射面上の位置に向く第２の輝度ピークを有するようにしてもよい。
【００１２】
本発明による照明付き鏡装置において、前記反射手段は、前記発光面からの光を拡散反射するようにしてもよい。
【００１３】
本発明による照明付き鏡装置において、前記反射手段は、布材であってもよい。
【００１４】
本発明による照明付き鏡装置において、前記布材は、前記支持体に上部に取り付けられ、前記支持体の上部から前側に垂れ下がって前記発光面からの光を反射する反射位置と、前記支持体の上部から前記発光面からの光が入射しない後側に垂れ下がる非反射位置と、のいずれかに配置されるようにしてもよい。
【００１５】
本発明による照明付き鏡装置において、前記支持体は、前記鏡に対して可動であってもよい。
【００１６】
本発明による照明付き鏡装置において、前記反射面は、前記鏡に対して可動であってもよい。
【発明の効果】
【００１７】
本発明によれば、照明されるべき領域上へ陰が発生してしまうことを効果的に抑制しながら、十分な明るさで当該照明されるべき領域を照明することができる。
【図面の簡単な説明】
【００１８】
【図１】図１は、本発明による一実施の形態を説明するための図であり、図１は、照明付き鏡装置を示す斜視図である。
【図２】図２は、図１の照明付き鏡装置を示す上面図である。
【図３】図３は、図１の照明付き鏡装置に組み込まれた面光源装置の縦横断面図であって、面光源装置の作用を説明するための図である。
【図４】図４は、図３のＩＶ−ＩＶ線に沿った断面を示す図であって、導光板の作用を説明するための図である。
【図５】図５は、面光源装置の発光面上の輝度についての角度分布を示すグラフである。
【図６】図６は、照明付き鏡装置の一変形例を示す斜視図である。
【発明を実施するための形態】
【００１９】
以下、図面を参照して本発明の一実施の形態について説明する。図１〜図５においては、図示と理解のしやすさの便宜上、適宜縮尺および縦横の寸法比等を、実物のそれらから変更し誇張してある。
【００２０】
また、本明細書において用いる、形状や幾何学的条件並びにそれらの程度を特定する用語、例えば、「平行」、「直交」、「三角形形状」等の用語や角度の値等については、同様の光学的機能を期待し得る程度の誤差範囲を含めて解釈することとする。
【００２１】
図１〜図５は、本発明による一実施の形態を説明するための図である。このうち、図１は、照明付き鏡装置１０を示す斜視図であり、図２は、照明付き鏡装置１０を示す上面図である。図１及び図２に示すように、照明付き鏡装置１０は、被写体５を写す表面２０ａを有した鏡２０と、上面３５ａの少なくとも一部分が発光面４０ａをなす天板３５と、発光面４０ａからの光を反射する反射面３０ａを有した反射手段３０と、を有している。本実施の形態においては、面光源装置４０が天板３５に内蔵されている。面光源装置４０が、天板３５の上面３５ａの一部分をなす発光面４０ａを形成し、当該発光面４０ａから面状に光を投射する。
【００２２】
この照明付き鏡装置１０では、鏡２０に写されるべき被写体５を発光面４０ａからの光Ｌａで直接照明することができるとともに、反射手段３０の反射面３０ａで反射された発光面４０ａからの光Ｌｂでも被写体５を照明することができる。すなわち、照明付き鏡装置１０は、複数の方向から被写体５を照明することができるので、被写体５の鏡２０への写り映えを改善することができる。とりわけ、以下に説明する実施の形態では、鏡２０に正対する被写体５、すなわち鏡２０の法線方向ｎｄに沿って当該鏡２０に対面する被写体５を、発光面４０ａからの直接光Ｌａおよび反射面３０ａからの反射光Ｌｂによって照明する照明付き鏡装置１０を例に挙げる。このような照明付き鏡装置１０は、例えば、化粧室用の鏡、試着室用の鏡、美容院や理容院の鏡、化粧品売り場の鏡等として好適に使用され得る。
【００２３】
以下、図示された一実施の形態を例に挙げ、照明付き鏡装置１０について更に詳細に説明する。
【００２４】
鏡２０は、その表面２０ａが天板３５の上面３５ａに対して立ち上がるように配置されている。すなわち、鏡２０は、その表面２０ａが天板３５の上面３５ａに対して少なくとも部分的に上方に位置し且つ天板３５の上面３５ａに対して傾斜または直交するように、配置されている。鏡２０の表面２０ａの視認性を考慮すると、天板３５の上面３５ａに対して鏡２０の表面２０ａが４５°以上の角度をなしていることが好ましい。図示された例において、鏡２０は、平面鏡として構成されており、鏡２０の表面２０ａが、天板３５の上面３５ａに対して直交するように配置されている。
【００２５】
なお、本明細書において、鏡２０や、後述する導光板５０及び光学シート７０等のような板状、シート状、フィルム状またはパネル状の対象物に対して用いる「板面」、「シート面」、「フィルム面」または「パネル面」とは、当該対象物を全体的かつ大局的に見た場合において対象物によって画定される面のことを指す。また、本明細書において、鏡２０や、後述する導光板５０及び光学シート７０等のような板状、シート状、フィルム状またはパネル状の対象物に対して用いる法線方向とは、当該対象物の板面、シート面、フィルム面またはパネル面への法線方向のことを指す。
【００２６】
反射手段３０は、発光面４０ａの光を反射して当該光を鏡２０に正対する被写体５に向けるよう、配置されている。具体的には、図２に示すように、反射手段３０の反射面３０ａは、鏡２０の表面２０ａへの法線方向ｎｄ１において、鏡２０から離間する側に向いている。すなわち、反射手段３０の反射面３０ａから延び出るその法線方向ｎｄ２は、鏡２０の法線方向ｎｄ１に沿って当該鏡２０から離間する側に延びている。
【００２７】
また、図示された例において、反射手段３０は、その反射面３０ａが天板３５の上面３５ａに対して立ち上がるように配置されている。すなわち、反射手段３０は、その反射面３０ａが天板３５の上面３５ａに対して少なくとも部分的に上方に位置し且つ天板３５の上面３５ａに対して傾斜または直交するように、配置されている。図示された例において、反射手段３０は、拡散反射板３１として形成されており、反射手段３０の反射面３０ａが、天板３５の上面３５ａに対して直交するように配置されている。
【００２８】
反射手段３０での反射は、鏡面反射でもよいし拡散反射でもよい。また、反射手段３０での反射が拡散反射である場合には、指向性拡散でもよいし、等方拡散（無指向性拡散）でもよい。このような反射手段３０は、種々の既知の反射機能を有した部材から構成され得る。一例として、反射手段３０は、不織布に反射性材料を蒸着した部材、白色系の布材、反射性を有した材料（例えば酸化チタン）を含んでなる塗膜を有する板材、気泡を含んだ板材等から構成される。本実施の形態では、反射手段３０が、入射光を拡散反射させる機能を有した拡散反射板３１として形成されている例について説明する。
【００２９】
天板３５は、板材として構成されており、例えば、化粧品等を載置する棚板として機能し得る。図示された例において、天板３５の上面３５ａは、水平方向と平行に延びている。上述したように、面光源装置４０が、天板３５に組み込まれ、発光面４０から面状に光を射出している。本実施の形態において、発光面４０ａは、鏡２０に対して、当該鏡２０の表面２０ａが向いている側に配置されている。すなわち、発光面４０ａは、鏡２０の表面２０ａへの法線方向ｎｄ１において、鏡２０よりも鏡２０の表面２０ａが向く前方側に位置している。図示された例では、発光面４０ａは、鏡２０の表面２０ａおよび反射手段３０の反射面３０ａのいずれとも直交している。また、天板３５の上面３５ａの一部分が、発光面４０ａをなしている。ただしこの例に限られず、天板３５の上面３５ａの全面が、発光面４０ａを形成するようにしてもよい。
【００３０】
図２に示すように、本実施の形態において、鏡２０の表面２０ａへの法線方向ｎｄ１に直交し且つ天板３５の上面３５ａに平行となる方向ｄａに沿って、発光面４０ａは、鏡２０の表面２０ａに正対しない位置に配置されている。とりわけ図示された例では、鏡２０の表面２０ａへの法線方向ｎｄ１に直交し且つ天板３５の上面３５ａに平行となる方向ｄａにおいて、鏡２０の表面２０ａが、発光面４０ａと反射手段３０の反射面３０ａとの間に位置している。このような配置によれば、発光面４０ａから被写体５を直接照明する照明光Ｌａと、反射手段３０からの反射光Ｌｂとが、方向ｄａに沿って鏡２０を中心とした互い異なる側から被写体５を照明するようになる。これにより、被写体５を、より全体的に、より陰を生じさせることなく、照明することが可能となる。
【００３１】
なお、また、面光源装置４０は、照明付き鏡装置１０の天板３５に対して相対移動可能、言い換えると、照明付き鏡装置１０の天板３５に対して可動であってもよい。具体例として、面光源装置４０が、鏡２０に対して相対揺動可能となり、発光面４０ａの向きを変更することができるようにしてもよい。面光源装置４０の発光面４０ａの向きを適切化することにより、被写体５をより明るく、より全体的に、より陰を生じさせることなく、照明することができる。
【００３２】
また、面光源装置４０は、照明付き鏡装置１０の天板３５から取り外し可能であってもよい。この例において、天板３５から取り外し可能な面光源装置４０が、異なる位置や異なる向きで照明付き鏡装置１０に取り付け可能となっていてもよい。面光源装置４０の鏡２０、反射手段３０または被写体５に対する相対位置を適切化することにより、被写体５をより明るく、より全体的に、より陰を生じさせることなく、照明することが可能となる。
【００３３】
次に、面光源装置４０の配光特性について説明する。図５には、面光源装置４０の発光面４０ａ上の輝度についての角度分布が示されている。図５に示された輝度の角度分布では、第１の輝度ピークＰ１と第２の輝度ピークＰ２が存在している。ここで輝度ピークとは、輝度の角度分布において極大となる輝度のことである。なお、図示された例では、第１の輝度ピークＰ１と第２の輝度ピークＰ２とで輝度が同じ値となっているが、第１の輝度ピークＰ１と第２の輝度ピークＰ２とで輝度が異なっていることもあり得る。
【００３４】
なお、図５のグラフに示された輝度の角度分布は、発光面４０ａへの法線方向に対して傾斜した面内であって、より正確には、第１の輝度ピークＰ１が得られる方向ｄｐ１と第２の輝度ピークＰ２が得られる第２方向ｄｐ２との両方とが通る面内の各方向から測定された輝度値に基づき作製されたものである。また、図５のグラフに示された輝度の角度分布は、発光面４０ａ上の或る位置から鏡２０に正対する被写体５へ向かう方向と、当該或る位置から反射手段３０の反射面３０へ向かう方向と、の両方向に平行な面内において測定された輝度値に基づき作製されたものでもある。図５のグラフにおいて、縦軸は、輝度を示しており、横軸は、輝度を測定した角度を示している。
【００３５】
図１及び図２には、第１の輝度ピークＰ１が得られる方向ｄｐ１と、第２の輝度ピークＰ２が得られる第２方向ｄｐ２とが示されている。図２に示すように、第１の輝度ピークＰ１を呈する方向ｄｐ１は、鏡２０の表面２０ａへの法線方向ｎｄ１において鏡２０から離間する側に向いている。すなわち、第１の輝度ピークＰ１を呈する方向ｄｐ１に沿って発光面４０ａから射出する光は、鏡２０の法線方向ｎｄ１において当該鏡２０から離間する側に進む。この場合、第１の輝度ピークＰ１を呈する方向ｄｐ１が、発光面４０ａ上から、鏡２０に正対する被写体５の位置に向かうようにすることができる。
【００３６】
このようにして輝度の角度分布において第１の輝度ピークＰ１を呈する方向ｄｐ１が調整されている照明付き鏡装置１０によれば、発光面４０ａからの照明光Ｌａによって、被写体５を効率的に照明することができる。すなわち、面光源装置４０で発光された光を高い利用効率で被写体５の照明に用いることができる。この結果、熱や紫外線の放出の点から好ましく無い程度にまで面光源装置４０の照射強度を増強することを回避しながら、被写体５を十分な明るさで照明することができる。また、スポットライト等の点光源と異なり、面光源装置４０は、被写体５の大きさ及び被写体５を写す鏡２０の表面２０ａの大きさを考慮して、適切な大きさの発光面４０ａを有し得る。したがって、被写体５の鏡２０に写し出される部分に明るさのムラが生じることを効果的に抑制しながら、被写体５の鏡２０に写し出される部分を十分均一な明るさにて全体的に照明することができる。
【００３７】
加えて、発光面４０ａからの光の第１の輝度ピークＰ１が得られる向きは、すなわち、第１の輝度ピークＰ１を呈する方向ｄｐ１に沿って発光面４０ａから射出する光が進む向きは、反射手段３０の反射面３０ａが向いている向きと、鏡２０の表面２０ａへの法線方向ｎｄ１に直交し且つ天板３５の上面３５ａに平行となる方向ｄａにおいて逆向きとなっている。言い換えると、発光面４０ａからの光の第１の輝度ピークＰ１が得られる向きは、反射手段３０への法線方向ｎｄ２が反射面３０ａから延び出る向きと、鏡２０の表面２０ａへの法線方向ｎｄ１に直交し且つ天板３５の上面３５ａに平行となる方向ｄａにおいて逆向きとなっている。このような配光特性および配置によれば、第１の輝度ピークＰ１が得られる方向ｄｐ１に沿って発光面４０ａから進み出る光Ｌａと、反射手段３０からの反射光Ｌｂとが、方向ｄａに沿って異なる側から被写体５を照明するようになる。これにより、被写体５を、より全体的に、より陰を生じさせることなく、照明することが可能となる。
【００３８】
さらに、図１及び図２に示すように、第２の輝度ピークＰ２を呈する方向ｄｐ２は、反射手段３０の反射面３０ａ上の位置へ向いている。すなわち、第２の輝度ピークＰ２を呈する方向ｄｐ２に沿って発光面４０ａから射出する光は、反射手段３０の反射面３０ａ上へ入射することが可能となる。すなわち、発光面４０ａから射出する光の多くが、反射手段３０の反射面３０ａへ向かい、反射面３０ａで反射した後に、被写体５の照明に用いられるようになる。
【００３９】
このように輝度の角度分布において第２の輝度ピークＰ２を呈する方向ｄｐ２が調整されている照明付き鏡装置１０によれば、発光面４０ａからの照明光によって、被写体５を効率的に照明することができる。すなわち、面光源装置４０で発光された光を高い利用効率で被写体５の照明に用いることができる。この結果、熱や紫外線の放出の点から好ましく無い程度にまで面光源装置４０の照射強度を増強することを回避しながら、且つ、被写体５の鏡２０に写し出される部分に明るさのムラが生じることを効果的に抑制しながら、被写体５の鏡２０に写し出される部分を十分均一な明るさにて全体的に照明することができる。
【００４０】
加えて、図５に示された輝度の角度分布では、第１の輝度ピークＰ１を呈する方向ｄｐ１を含み且つ第１の輝度ピークの半分以上の輝度が得られる角度域の広さ、言い換えると半値幅角は１０°以上の７０°以下となっている。このようにして輝度の角度分布において第１の輝度ピークＰ１の半分以上の輝度が得られる角度域θｗ１の広さが設定されている照明付き鏡装置１０、すなわち、輝度の角度分布における半値全幅が設定されている照明付き鏡装置１０によれば、発光面４０ａから被写体５へ直接入射する照明光Ｌａによって、被写体５を効率的に照明することができる。
【００４１】
すなわち、面光源装置４０で発光された光を高い利用効率で被写体５の照明に用いることができる。この結果、熱や紫外線の放出の点から好ましく無い程度にまで面光源装置１０の照射強度を増強することを回避しながら、被写体５を十分な明るさで照明することができる。また、スポットライト等の点光源と異なり、面光源装置４０が、被写体５の大きさ及び被写体５を写す鏡２０の表面２０ａの大きさを考慮して、適切な大きさの発光面４０ａを有し得る。そして、発光面４０ａ内の各位置から適切な広さの角度域に広がる照明光を照射することができる。この結果、被写体５の鏡２０に写し出される部分に陰が生じてしまうことを効果的に抑制し且つ明るさのムラが生じてしまうことを効果的に抑制しながら、被写体５の鏡２０に写し出される部分を十分均一な明るさにて全体的に照明することができる。
【００４２】
なお、照明付き鏡装置１０の鏡２０が、化粧室用の鏡、試着室用の鏡、美容院や理容院の鏡、化粧品売り場の鏡等の用途にて、人間の顔を写すこと意図されている場合には、面光源装置４０の発光面４０ａ上の輝度についての鏡２０の法線方向ｎｄ及び第１方向ｄ１の両方に平行となる面内での角度分布において、ピーク輝度を呈する方向を含み且つピーク輝度の半分以上の輝度が得られる角度域の広さは２０°以上６０°以下となっていることが好ましい。本件発明者らが鋭意実験を重ねたところ、このような設定によれば、被写体５たる人間の顔を極めて効果的に照明して、当該人間の顔の鏡２０への写り映えを効果的に改善することができた。
【００４３】
ここで、以上に説明した配光特性、すなわち、第１及び第２の輝度ピークＰ１，Ｐ２を持つ配光特性を実現し得る面光源装置４０の一具体例について詳述する。
【００４４】
図３に示すように、面光源装置４０は、エッジライト型の面光源装置として構成され、導光板５０と、導光板５０の側方に配置された第１光源４５および第２光源４７と、導光板５０にそれぞれ対向して配置された光学シート（プリズムシート）７０および反射シート４９と、を有している。図示された例では、光学シート７０が最も出光側に配置され、光学シート７０の出光面７１が発光面４０ａを形成している。
【００４５】
図示する例において、導光板５０は、全体的に、一対の主面を有する四角形板状の部材として構成されており、一対の主面間に画成される側面は四つの面を含んでいる。同様に、光学シート７０および反射シート４９は、全体的に、四角形板状の部材として構成されている。
【００４６】
導光板５０は、光学シート７０側の主面によって構成された出光面５１と、出光面５１に対向するもう一方の主面からなる裏面５２と、出光面５１および裏面５２の間を延びる側面と、を有している。側面のうちの第１方向ｄ１に対向する二つの面のうちの一方の側面が第１入光面５３をなし、他方の側面が第２入光面５４をなしている。図３に示すように、第１入光面５３に対面して第１光源４５が設けられ、第２入光面５４に対面して第２光源４７が設けられている。第１入光面５３から導光板５０に入射した光は、導光方向となる第１方向ｄ１に沿って第１入光面５３に対向する第２入光面５４に向け、概ね第１方向ｄ１に沿って導光板５０内を導光される。同様に、第２入光面５４から導光板５０に入射した光は、第１入光面５３に向け、概ね第１方向ｄ１に沿って導光板５０内を導光される。図３に示すように、光学シート７０は、導光板５０の出光面５１に対面するようにして配置され、反射シート４９は、導光板５０の裏面５２に対面するようにして配置されている。
【００４７】
光源４５，４７は、例えば、線状の冷陰極管等の蛍光灯や、点状のＬＥＤ（発光ダイオード）や白熱電球等の種々の態様で構成され得る。図示された例において、光源４５，４７は、入光面５３，５４の長手方向に沿って、並べて配置された多数の点状発光体、具体的には、多数の発光ダイオード（ＬＥＤ）４６，４８によって、構成されている。なお、発光ダイオードは、エネルギ効率において優れるだけでなく、次の点において他の光源、例えば有機エレクトロルミネッセンス光源と比較して、照明付き鏡装置１０への適用において有利である。まず、種々の配光特性を有した発光ダイオード４６，４８を安価に入手することができる。したがって、導光板５０及び光学シート７０との組み合わせにおいて、所望の配光特性を有した面光源装置４０を安価且つ容易に作製することができる。また、種々のスペクトル特性を有した発光ダイオード４６，４８を安価に入手することができる。したがって、照明付き鏡装置１０の用途や使用場所に応じて発光ダイオード４６，４８の発光スペクトルを選択することにより、例えば優れた演色性を呈し得るように選択することにより、面光源装置４０によって被写体５をより効果的に照明することができる。
【００４８】
反射シート４９は、導光板５０の裏面５２から漏れ出した光を反射して、再び導光板５０内に入射させるための部材である。反射シート４９は、白色の散乱反射シート、金属等の高い反射率を有する材料からなるシート、高い反射率を有する材料からなる薄膜（例えば金属薄膜）を表面層として含んだシート等から、構成され得る。
【００４９】
光学シート７０は、入光側から入射した光の進行方向を調節して出光側から出射させるためのシート状部材である。図３に示す例において、光学シート７０は、シート状の本体部７４と、そのシート面上の一方向（配列方向）、具体的には、上述した導光板５０の入光面５３と反対面５４とを結ぶ第１方向ｄ１に沿って並べて配列された複数の単位プリズム７５を有している。単位プリズム７５は、本体部７４上に配列されており、本体部７４から導光板５０の側へ向けて突出している。単位プリズム７５は、光学シート７０のシート面上において、その配列方向に直交する方向に直線状に延びている。単位プリズム７０は、その長手方向に直交する断面において、三角形形状の断面形状を有している。すなわち、単位プリズム７５は、第１方向ｄ１に沿って一方の側、より具体的には、鏡２０から離間する側に位置する一側面７６と、第１方向ｄ１に沿って他側に位置する他側面７７と、を有している。単位プリズム７５は本体部７４上に隙間無く配列され、光学シート７０の入光面７２は、一側面７６及び他側面７７によって形成されている。一方、光学シート７０の出光面７１は、本体部７４によって形成されている。なお、光学シート７０の寸法および形状は、後述する導光板５０の寸法および形状を考慮しながら、適宜設定され得る。
【００５０】
ところで、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。同様に、本明細書における「単位プリズム」、「単位要素」、「単位形状要素」、「単位光学要素」および「単位レンズ」とは、屈折や反射等の光学的作用を光に及ぼして、当該光の進行方向を変化させる機能を有した要素のことを指し、呼称の違いのみに基づいて、互いから区別されるものではない。
【００５１】
次に、図３及び図４を主に参照して、導光板５０についてさらに詳述する。図３及び図４によく示されているように、導光板５０は、板状に形成された基部６０と、基部６０の光学シート７０側の面上に形成された複数の第１単位要素６１と、基部６０の反射シート４９側の面上に形成された複数の第２単位要素６６と、を有している。基部６０は、一対の平行な主面を有する平板状の部材として構成されている。
【００５２】
第１単位要素６１についてさらに詳述する。図４によく示されているように、複数の第１単位要素６１は、第１方向ｄ１と交差し且つ基部６０のシート面と平行な配列方向に並べられて、基部６０上に配列されている。各第１単位要素６１は、基部６０上を、その配列方向と交差する方向に線状に延びている。
【００５３】
とりわけ図示された例において、複数の第１単位要素６１は、基部６０上に、第１方向ｄ１と直交する配列方向に隙間無く並べて配列されている。したがって、導光板５０の出光面５１は、第１単位要素６１の表面によって構成されている。また、各第１単位要素６１は、配列方向と直交する第１方向ｄ１に沿って、直線状に延びている。さらに、各第１単位要素６１は、柱状に形成され、その長手方向に沿って同一の断面形状を有するようになっている。また、図示された例において、複数の第１単位要素６１は、互いに同一に構成されている。
【００５４】
図４に示す断面、つまり、第１単位要素６１の配列方向および基部６０の法線方向（導光板５０の法線方向に一致する方向）の両方向に平行な断面における各第１単位要素６１の断面形状は、要求される面光源装置４０の配光特性に応じて選択される。図４に示された例において、第１単位要素６１の断面形状は、三角形形状となっている。この例において、導光板５０の出光面５１は、傾斜した偏向面６２と、二つの偏向面６２を接続する接続面６３と、を有している。接続面６３は、概ね、導光板５０の法線方向に沿って延びている。そして、図４に示されているように、偏向面６２は、導光板５０からの出射光の進行方向を、導光板５０への法線方向から、第１単位要素６１の配列方向に沿った一方の側に偏向するように機能する。このような偏向面６２によれば、図５を参照して説明したように、発光面４０ａへの法線方向（導光板５０の法線方向）に傾斜した面内に輝度ピークＰ１，Ｐ２が生じる配光特性を実現することができる。
【００５５】
次に、第２単位要素６６についてさらに詳述する。図３から理解され得るように、複数の第２単位要素６６は、第１方向ｄ１及び基部６０のシート面と平行な配列方向に並べられて、基部６０上に配列されている。各第２単位要素６６は、基部６０上を、その配列方向と交差する方向に線状に延びている。
【００５６】
とりわけ図示された例において、複数の第２単位要素６６は、基部６０上に、第１方向ｄ１に隙間無く並べて配列されている。したがって、導光板５０の裏面５２は、第２単位要素６２の表面をなす第１面６７及び第２面６８とから、形成されている。また、各第２単位要素６６は、第１方向ｄ１と直交する方向に沿って、直線状に延びている。さらに、各第２単位要素６６は、柱状に形成され、その長手方向に沿って同一の断面形状を有するようになっている。また、図示された例において、複数の第２単位要素６６は、互いに同一に構成されている。
【００５７】
第２単位要素６６の配列方向および基部６０の法線方向の両方向に平行な断面において、各第２単位要素６６は、基部６０上に一辺が位置する三角形形状として形成されている。第２単位要素６６は、第１面６７および第２面６８を有している。なお、第１面６７は、導光板５０内を進む第１発光源４５からの光の進行方向を傾斜させるための反射面として機能し、当該第１発光源４５からの光が出光面５１を介して導光板５０から出射することを促進する。一方、第２面６８は、導光板５０内を進む第２発光源４７からの光の進行方向を傾斜させるための反射面として機能し、当該第２発光源４７からの光が出光面５１を介して導光板５０から出射することを促進する。導光方向に対する第１面６７及び第２面６８の傾斜角度は、比較的小さい値、例えば０．２°以上２°以下に設定され得る。
【００５８】
以上のような構成からなる導光板５０は、樹脂の賦型シートを用いた押し出し成型により、あるいは、電離放射線樹脂からなる第１単位要素６１及び第２単位要素６６を基材上に賦型することにより、作製することができる。
【００５９】
次に、以上のような構成からなる面光源装置４０の作用について説明する。
【００６０】
まず、図３に示すように、第１光源４５をなす発光ダイオード４６で発光された光は、第１入光面５３を介して導光板５０に入射し、第２発光源４７をなす発光ダイオード４８で発光された光は、第２入光面５４を介して導光板５０に入射する。図３に示すように、導光板５０へ入射した光の多くは、導光板５０の出光面５１および裏面５２において、反射、とりわけ導光板５０をなす材料と空気との屈折率差に起因して全反射を繰り返し、導光板５０の入光面５３と反対面５４とを結ぶ導光方向、とりわけ図示された例では第１方向ｄ１へ進んでいく。
【００６１】
ただし、図示された導光板５０の裏面５２は、第２単位要素６６によって構成され、入光面５３から反対面５４に向かうにつれて、出光面５１に対して接近するように傾斜した第１面６７を有している。したがって、導光板５０内を第１入光面５３の側から第２入光面５４の側へと進む第１光源４５からの光は、裏面５２のうち、主として第１面６７にて反射するようになる。このため、図３に示すように、出光面５１及び裏面５２にて反射を繰り返しながら導光板５０内を第１発光源４５からの光が進む場合、当該光の出光面５１及び裏面５２への入射角度は、次第に小さくなっていき、全反射臨界角未満となる。この結果、導光板５０内を進む第１発光源４５からの光は、少しずつ、出光面５１から出射するようになる。このような方法によれば、第１発光源４５で発光され且つその後に導光板５０の出光面５１から出射するようになる光の導光方向に沿った光量分布、本例では第１方向ｄ１に沿った光量分布を制御すること、例えば第１方向ｄ１に沿った光量分布を均一化させることが可能となる。
【００６２】
一方、導光板５０内を第２入光面５４の側から第１入光面５３の側へと進む第２光源４７からの光は、裏面５２のうち、主として第２面６８にて反射するようになる。このため、導光板５０内を進む第２発光源４７からの光も、少しずつ、出光面５１から出射するようになる。すなわち、第２発光源４７で発光され且つその後に導光板５０の出光面５１から出射するようになる光の導光方向に沿った光量分布、本例では第１方向ｄ１に沿った光量分布を制御すること、例えば第１方向ｄ１に沿った光量分布を均一化させることが可能となる。
【００６３】
なお、導光板５０から出射する光の出射角度は、それまで、導光板５０内を主として第１方向ｄ１に進んでいたことに起因して、第１方向ｄ１と平行な面において、導光板５０の法線方向から比較的大きく傾斜した比較的に大きな出射角度となる。具体的には、導光板５０から出射する光の第１方向成分の出射角度、すなわち出射光の第１方向成分と導光板５０の法線方向とがなす角度は、比較的大きな角度となる狭い角度範囲内に偏る、傾向がある。例えば、導光板５０の板面への法線方向に対して６５°以上８０°以下（さらには６５°以上７５°以下）の範囲にピーク輝度が発生するように設定することができる。ただし、図３に示すように、第１発光源４５からの光と、第２発光源４７からの光は、導光板５０の法線方向に対して互いに異なる側に傾斜する。
【００６４】
また、図示された例において、導光板５０の出光面５１は複数の第１単位要素６１によって構成され、各第１単位要素６１の断面形状は、三角形形状または三角形形状の頂角を面取りしてなる形状となっている。すなわち、出光面５１は、導光板５０の板面に対して傾斜した傾斜面６２と、導光板５０の板面に概ね直交する接続面６３と、によって構成されている（図４参照）。このため、導光板５０内を進む光は、接続面６３ではなく、主として偏向面６２に入射する。この結果、導光板５０からの出射する光の第１方向に直交する方向に沿った成分を、導光板５０の法線方向に対して傾斜させることができる。この際、第１発光源４５からの光と第２発光源４７からの光は、導光板５０の法線方向に対して同一の側に偏向するようになる。
【００６５】
以上のようにして最終的に導光板５０から出射した光は、図３に示すように、光学シート７０へ入射する。上述したように、光学シート７０は、導光板５０側へ向けて頂角が突出する断面三角形状の単位プリズム７５を有している。図３によく示されているように、単位プリズム７５の長手方向は、導光板５０による第１方向ｄ１と交差する方向、とりわけ本実施の形態では導光方向と直交する方向と、平行になっている。また、導光板５０をなす材料と空気との屈折率差に起因し、導光板５０の出光面５１から出射する光の第１方向成分の出射角度、すなわち出射光の第１方向成分と導光板５０の板面への法線方向ｎｄとがなす角度は、特定の角度範囲（例えば、６５°〜８５°）内に偏る、傾向がある。
【００６６】
これらのことから、図３に示すように、導光板５０の出光面５１から出射した第１発光源４５からの光の多くが、光学シート７０の単位プリズム７５の一側面７６を透過して当該単位プリズム７５へ入射し、その後、当該単位プリズム７５の他側面７７で全反射するように、光学シート７０を設計することができる。同様に、導光板５０の出光面５１から出射した第２発光源４７からの光の多くが、光学シート７０の単位プリズム７５の他側面７７を透過して当該単位プリズム７５へ入射し、その後、当該単位プリズム７５の一側面７６で全反射するように、光学シート７０を設計することができる。
【００６７】
図３に示された例では、第１光源４５で発光されて発光面４０ａから出射する光の進行方向は、当該光学シート３０の法線方向まで絞り込まれず、この光に起因して形成される輝度の角度分布のピークは、第１方向ｄ１における一側から他側に向け、導光板５０の法線方向に対して傾斜している。一方、第２光源４７で発光されて発光面４０ａから出射する光の進行方向は、当該光学シート３０の法線方向まで絞り込まれず、この光に起因して形成される輝度の角度分布のピークは、第１方向ｄ１における他側から一側に向け、導光板５０の法線方向に対して傾斜している。このような第１光源４５からの光および第２光源４７からの光によれば、図５に示された輝度の角度分布を実現することが可能となる。この結果、上述したように、面光源装置４０から第１の輝度ピークＰ１を呈する方向ｄｐ１を中心とした狭い角度範囲内の方向に進む照明光Ｌａと、面光源装置４０から第２の輝度ピークＰ２を呈する方向ｄｐ２を中心とした狭い角度範囲内の方向に進みその結果として反射手段３０によって反射された反射光Ｌｂと、によって、鏡２０に写すべき被写体５を効果的に照明することができる。
【００６８】
以上のように本実施の形態によれば、発光面４０ａからの光が、鏡２０の表面２０ａへの法線方向ｎｄ１において鏡２０から離間する側に向く輝度ピークＰ１を有している。また、反射手段３０の反射面３０ａは、鏡２０の表面２０ａへの法線方向ｎｄ１において、鏡２０から離間する側に向いている。したがって、鏡２０に写すべき被写体５を、発光面４０ａからの照明光Ｌａによって直接照明することができるとともに、反射手段３０からの反射光Ｌｂによっても照明することができる。このため、被写体５上へ陰が発生してしまうことを効果的に抑制しながら、十分な明るさで十分均一に被写体５を照明することができる。この結果、被写体５の鏡２０への写り映えを効果的に改善することができる。また、発光面４０ａが天板３５に設けられており、且つ、鏡２０が天板３５に対して立ち上がるように配置されているので、照明付き鏡装置１０の省スペース化が有効に実現される。
【００６９】
また、上述した実施の形態では、反射手段３０が拡散反射板３１として形成されており、拡散反射板３１での拡散反射光によって被写体５を照明することができる。このため、被写体５上へ陰が発生してしまうことをより効果的に抑制することができる。加えて、上述した実施の形態では、発光面４０ａからの光は、反射手段３０の反射面３０ａ上の位置に向く第２の輝度ピークＰ２を有している。このため、発光面４０ａからの光を極めて効率的に利用しながら、被写体５上への陰の発生を抑制することができる。
【００７０】
さらに、上述した実施の形態では、面光源装置４０がエッジライト型として構成されている。したがって、面光源装置４０の厚みを薄くすることができ、且つ、非常に強い指向性を有した配光特性を面光源装置４０に付与することができる。
【００７１】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【００７２】
上述した実施の形態において、照明付き鏡装置１０の用途として、化粧室用の鏡、試着室用の鏡、美容院や理容院の鏡、化粧品売り場の鏡等を例示した。ただし、照明付き鏡装置１０の用途は、これらの用途に限られず、種々の場所に設置される姿見、浴室用の鏡等、種々の用途に適用され得る。
【００７３】
上述した実施の形態において、反射手段３０が拡散反射板３１からなる例を示したが、既に上述したように、これに限られない。例えば、反射手段３０が鏡によって形成されるようにしてもよい。また、上述した実施の形態において、反射手段３０が一つだけ設けられている例を示したがこれに限られず、二以上の反射手段が設けられるようにしてもよい。
【００７４】
上述した実施の形態において、鏡２０が一つだけ設けられている例を示したが、これに限られない。例えば、図６に示すように、照明付き鏡装置１０が三面鏡を含むようにしてもよい。なお、図６に示された例において、反射手段３０は、反射性を有した布材３２によって形成されている。図６に示された例において、布材３２は、三面鏡のうちの一つの鏡を支持体として、支持されている。より具体的には、布材３２の一縁部が、支持体となる鏡の上縁に取り付けられている。この布材３２は、図６に実線で示したように、支持体となる鏡の上部から前側（すなわち、支持体となる鏡の表面側）に垂れ下がって発光面４０ａからの光を反射し得る反射位置と、図６に二点鎖線で示したように、支持体となる鏡の上部から発光面４０ａからの光が入射しない後側（すなわち、支持体となる鏡の裏面側）に垂れ下がる非反射位置と、のいずれかに保持される。
【００７５】
上述した実施の形態において、発光面が一つだけ設けられている例を示したがこれに限られず、二以上の発光面が天板３５の上面３５ａに設けられていてもよい。また、上述した実施の形態において、天板３５の上面３５ａの一部分のみが発光面４０ａをなす例について説明したが、天板３５の上面３５ａの全面が発光面４０ａをなすようにしてもよい。この際、天板３５の上面３５ａ内の各位置における発光量は、均一であってもよいし、鏡２０、反射手段３０及び被写体５の配置に応じてばらついていてもよい。
【００７６】
さらに、以上の説明では、鏡２０に正対する被写体５、すなわち鏡２０の法線方向ｎｄに沿って当該鏡２０に対面する被写体５を面光源装置４０で照明する照明付き鏡装置１０を例示してきた。しかしながら、本発明は、このような例に限られることなく、照明付き鏡装置１０の面光源装置４０が、鏡２０に正対する位置または領域以外の領域を主として照明するようにしてもよい。
【００７７】
なお、以上において上述した実施の形態に対するいくつかの変形例を説明してきたが、当然に、複数の変形例を適宜組み合わせて適用することも可能である。
【符号の説明】
【００７８】
５     被写体
６     像
１０   照明付き鏡装置
２０   鏡
２０ａ 表面、鏡面
３０   反射手段
３０ａ 反射面
３１   拡散反射板
３２   布材
３５   天板
３５ａ 上面、天面
４０   面光源装置
４０ａ 発光面
【図１】
2014180517.tif 000003
【図２】
2014180517.tif 000004
【図３】
2014180517.tif 000005
【図４】
2014180517.tif 000006
【図５】
2014180517.tif 000007
【図６】
2014180517.tif 000008